(57)【要約】【課題】軽量で作業員の負担が小さく、騒音の少ない、天井ボード切削機を提供する。【解決手段】持ち手２１１を形成した本体２１と、本体２１の上部に固定して天井ボードの下面に当接するベース２２と、本体２１からベース２２に形成した刃孔２２１を通じて突設する切削刃２３と、からなる把持部２と、切削刃２３を駆動するためのモーターを備えた駆動部３と、把持部２の切削刃２３と、駆動部３とを連結し、モーターの回転力を切削刃２３に伝達するフレキシブルシャフト４と、からなる。【選択図】図１
2018178630.tif 000002
【特許請求の範囲】
【請求項１】
持ち手を形成した本体と、前記本体の上部に固定して天井ボードの下面に当接するベースと、前記本体から前記ベースに形成した刃孔を通じて突設する切削刃と、からなる把持部と、
前記切削刃を駆動するためのモーターを備えた駆動部と、
前記把持部の切削刃と、前記駆動部とを連結し、前記モーターの回転力を前記切削刃に伝達するフレキシブルシャフトと、からなる、天井ボード切削機。
【請求項２】
請求項１に記載の天井ボード切削機において、
前記切削刃はエンドミル状であることを特徴とする、天井ボード切削機。
【請求項３】
請求項１又は２に記載の天井ボード切削機において、
前記切削刃の近傍に一方の端部を設ける集塵ホースと、
前記集塵ホースの他方の端部に接続するクリーナーと、を有する天井ボード切削機。
【請求項４】
請求項３に記載の天井ボード切削機において、
前記把持部に前記クリーナーを起動および停止するためのスイッチを設けることを特徴とする、天井ボード切削機。
【請求項５】
請求項３又は４のいずれか一項に記載の天井ボード切削機において、
作業員が装着できるハーネスに、前記クリーナーおよび前記駆動部を取り付けることを特徴とする、天井ボード切削機。
【発明の詳細な説明】
【技術分野】
【０００１】
本発明は、リニューアル工事等において、天井ボードを切断するための天井ボード切削機に関するものである。
【背景技術】
【０００２】
建物の内装リニューアル工事や耐震補強工事を行う際、天井ボードを解体することがよく行われる。
天井ボードは主に石膏ボードからなり、天井下地材（野縁）に釘やビス、接着剤等によって固定されているため、天井ボードは解体しやすい大きさに予め切断し、それから作業員がバールや手作業によって天井下地材から天井ボードを剥がすのが好ましい。
また、天井に点検口を設ける場合や空調機器等を増設する際にも、天井ボードの切断が必要となる。
従来、天井ボードの切断には例えば特許文献１の天井ボード切断工具が行われている。
【先行技術文献】
【特許文献】
【０００３】
【特許文献１】特開平６−１５５４０３
【発明の概要】
【発明が解決しようとする課題】
【０００４】
従来の天井ボード切断工具には、以下のような問題点がある。
（１）工具本体にモーターや充電池を取り付けるため、工具の重量が大きくなり、特に長時間作業時の作業員の負担が大きい。
（２）刃物を上下方向に往復動させながら天井ボードを切断するため、切断時の騒音が大きい。
（３）天井ボード切断時に発生する切り屑は、集塵カバー内に自然落下させて回収するが、切断時に回収できなかった切り屑が室内に落下してしまう恐れがある。
【０００５】
本発明は、軽量で作業員の負担が小さく、騒音の少ない、天井ボード切削機を提供することを目的とする。
【課題を解決するための手段】
【０００６】
上記目的を達成するためになされた本願の第１発明は、持ち手を形成した本体と、前記本体の上部に固定して天井ボードの下面に当接するベースと、前記本体から前記ベースに形成した刃孔を通じて突設する切削刃と、からなる把持部と、前記切削刃を駆動するためのモーターを備えた駆動部と、前記把持部の切削刃と、前記駆動部とを連結し、前記モーターの回転力を前記切削刃に伝達するフレキシブルシャフトと、からなる、天井ボード切削機を提供する。
本願の第２発明は、第１発明の天井ボード切削機において、前記切削刃はエンドミル状であることを特徴とする、天井ボード切削機を提供する。
本願の第３発明は、第１又は第２発明の天井ボード切削機において、前記切削刃の近傍に一方の端部を設ける集塵ホースと、前記集塵ホースの他方の端部に接続するクリーナーと、を有する天井ボード切削機を提供する。
本願の第４発明は、第３発明の天井ボード切削機において、前記把持部に前記クリーナーを起動および停止するためのスイッチを設けることを特徴とする、天井ボード切削機を提供する。
本願の第５発明は、第３又は第４発明の天井ボード切削機において、作業員が装着できるハーネスに、前記クリーナーおよび前記駆動部を取り付けることを特徴とする、天井ボード切削機を提供する。
【発明の効果】
【０００７】
本発明は、上記した課題を解決するための手段により、次のような効果の少なくとも一つを得ることができる。
（１）作業員が手に持つ把持部と、モーターを備えた駆動部とが分かれているため、把持部の重量が小さくなり、長時間の作業でも作業員の負担が小さくなる。
（２）切削刃をエンドミル状とすることにより、天井ボード切削時の騒音が小さくなる。
（３）天井ボード切削時に発生する切り屑はクリーナーにより吸引して回収するため、切り屑が室内に落下することがない。
【図面の簡単な説明】
【０００８】
【図１】天井ボード切削機の使用状態の説明図
【図２】把持部の説明図
【実施例１】
【０００９】
以下、図面を参照しながら本発明の実施の形態について説明する。
【００１０】
＜１＞天井ボード切削機
本発明の天井ボード切削機１は、天井ボードＢを切断する際に使用するものである（図１）。
天井ボード切削機１は、切削刃２３を取り付けた把持部２と、切削刃２３を駆動するモーターを備えた駆動部３と、切削刃２３と駆動部３を連結するフレキシブルシャフト４と、切断時の切り屑等を回収する集塵ホース５およびクリーナー６と、クリーナー６を把持部２の電源スイッチ２４によって操作するための電源ケーブル７と、を有する。
このうち、駆動部３とクリーナー６は、作業員が装着するハーネス８に取り付ける。
【００１１】
＜２＞把持部
把持部２は、本体２１と、本体２１の上部に固定するベース２２と、本体２１から突設する切削刃２３と、からなる（図２）。
本体２１は、作業員が片手で持つための持ち手２１１を有する。
切削刃２３はベース２２に形成した刃孔２２１を通じて突出している。
作業員は切削刃２３を駆動させた状態で把持部２の持ち手２１１を持ち、ベース２２の上面を天井ボードＢの下面に当接しながら把持部２を切断したい方向に動かすことで、突出した切削刃２３により天井ボードＢを切断する。
また切削刃２３のベース２２からの突出長を、先端が天井ボードＢをわずかに貫通しない位置になるように予め設定することで、作業員は切削刃２３によって形成された溝に沿って容易に天井ボードＢを切断することができる。切削刃２３が天井ボードＢを貫通しないため、天井ボードＢ上のケーブル等を傷つけるおそれがない。
把持部２と、切削刃２３を駆動するためのモーターを備えた駆動部３が分かれているため、把持部２の重量が小さく、長時間の作業でも作業員の負担が小さい。
【００１２】
＜２．１＞切削刃
切削刃２３は上下動によって切断する鋸状ではなく、回転によって切断するエンドミル状とする。エンドミル状とすることにより、天井ボードＢ切削時の騒音を小さくすることができる。
また、上下動する鋸状では天井ボードＢ上のケーブル等を傷つけるおそれがあるが、エンドミル状であれば上下動しないためケーブル等を傷つけるおそれがない。
【００１３】
＜３＞駆動部
駆動部３は切削刃２３を駆動するためのモーターを内蔵しており、モーターを駆動するスイッチ３１、モーターの回転速度を調整するスライダー３２を有する。
駆動部３のモーターは同じく駆動部３に内蔵する充電池によって駆動することにより、配線が不要となる。モーターは別途配線して外部電源により駆動してもよい。
駆動部３はモーターおよび充電池を内蔵するため、把持部２に比べて重量があるが、ハーネス８に取り付けることにより作業員の負担が軽減される。
駆動部３のスイッチ３１やスライダー３２は別途の配線を行い、把持部２に設けてもよい。作業員が手元で駆動部３を操作することにより、必要時以外に駆動部３を運転することがなく、運転音の発生を抑制することができる。
【００１４】
＜４＞フレキシブルシャフト
フレキシブルシャフト４は、駆動部３のモーターの回転力を把持部２の切削刃２３に伝達する。
フレキシブルシャフト４は屈曲自在なため、把持部２は取り回しが容易である。
【００１５】
＜５＞集塵ホース、クリーナー
把持部２には、ハーネス８の背部に取り付けたクリーナー６に接続した集塵ホース５を取り付ける。クリーナー６はハーネス８に取り付けることにより作業者の負担が軽減される。
集塵ホース５の吸い込み側の端部は、切削刃２３の近傍に設ける。そして、天井ボードＢ切削時に発生する切り屑を、集塵ホース５を通じてクリーナー６により吸引して回収する。クリーナー６により吸引して回収するため、切り屑が室内に落下することがない。
クリーナー６は外部電源により駆動してもよいが、充電式にすると配線が不要となる。
クリーナー６はハーネス８の背部に取り付けるため、作業員がクリーナー６本体の電源スイッチを操作することは困難である。このため、クリーナー６の電源スイッチ２４を把持部２に設けて、電源ケーブル７を配線することにより、作業員が手元でクリーナー６を入／切操作することができる。また、把持部２に電源スイッチ２４を設けることで、必要時以外にクリーナー６を運転することがなく、運転音の発生を抑制することができる。
集塵ホース６および電源ケーブル７は屈曲自在なため、把持部２は取り回しが容易である。
【符号の説明】
【００１６】
１      天井ボード切削機
２      把持部
３      駆動部
４      フレキシブルシャフト
５      集塵ホース
６      クリーナー
７      電源ケーブル
８      ハーネス
【図１】
2018178630.tif 000003
【図２】
2018178630.tif 000004